(57)【要約】      （修正有）【課題】少量のもの、簡易なもの、小型のものを販売するＤＩＹショップやＤＩＹコーナで購入する商品を使用する熟練を有しない者でも、容易に作業ができ、失敗の少ない塗材用品とこの塗材用具を梱包した包装箱とを備えた塗材用具セットを提供する。【解決手段】糊、接着剤、ペンキから選ばれる塗料と、施工の際に塗料を広げた状態で保持するための塗料容器１６と、これら塗料と塗料容器とを同梱する包装箱１０とを備えた塗材用具セットであって、包装箱１０は、上部に開口部を備え、平面形状が矩形状であり、塗料容器１６が、塗料の余分量を搾り動作が可能な傾斜面１６ａと、傾斜面１６ａを除く３つの包装箱１０の側壁を覆う側面１６ｃと、これら傾斜面１６ａと３つの側面１６ｃとで囲まれた包装箱１０の箱底部を覆う底面１６ｂとを備え、包装箱１０の開口部から内部に装着可能な外形を備えたもの。【選択図】図１
0003202398.tif 000002
【実用新案登録請求の範囲】
【請求項１】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【請求項２】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、塗料を下の包装箱に通過させない曲折可能なシート材の周囲を曲折した前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【請求項３】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【請求項４】
糊、接着剤、ペンキから選ばれる塗料と、この塗料を被施工面に塗布するための施工具と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【請求項５】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備え、
前記固定手段が、前記傾斜フラップ部を形成する１つのフラップの対向辺のフラップが側面部と１つのフラップの先端部の底部固定位置までを覆う長さを有し、互いのフラップ先端部同士の突き合わせ位置で固定するものであることを特徴とする塗材用具セット。
【請求項６】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備え、
前記固定手段が、前記傾斜フラップ部を形成する１つのフラップの先端部から更に延長して設けられた１つ以上のツメ部と、前記底部の固定位置に穿設されたこのツメ部が挿入される挿入孔とを備えたことを特徴とする塗材用具セット。
【考案の詳細な説明】
【技術分野】
【０００１】
本考案は例えば、壁紙等を貼着する際に糊や接着剤を塗布したり、ペンキを直接壁に塗布する際に用いられる糊、接着剤又はペンキの塗料等を内部に収納した塗装用具セットに関するものである。
【背景技術】
【０００２】
現在、生活環境について、ＤＩＹ（Ｄｏ  Ｉｔ  Ｙｏｕｒｓｅｌｆ）の生活形態が見直されている。例えば、本棚の作製のように構造の簡単なものの製造に始まって、室内の壁面を貼り替えたり、塗り替えたりするようなより複雑なものを自身の手で行うことが見直されている。それに用いられる工具や材料等は、ＤＩＹショップや量販店のＤＩＹコーナ等で販売され、又はインターネットで通信販売もされている。
【０００３】
このような場合には、一個人が自身のものや環境を変更するものであるため、大量には消費しない。そのため、ＤＩＹショップやＤＩＹコーナでは主に少量のもの、簡易なもの、小型のもの等が主に販売されている。加えて、ＤＩＹショップやＤＩＹコーナで購入する商品を使用する者は、圧倒的に熟練者ではない。このため、使用する材料については、それを用いる道具や治具も持ち合わせていない場合が殆どである。
【０００４】
例えば、ペンキを作製したものや壁面等に塗布する際には、熟練者でなければ塗装用ローラを用いて行うのが失敗が少ない。この際に、塗装用ローラの刷毛部全体に、塗料を簡単に均一に馴染ませることができ、塗装面に網目の跡等も転写されることがなく、容器本体を重ね合わせたときに、嵩張ることもないローラ用バケットが提案されている（特許文献１参照）。
【先行技術文献】
【特許文献】
【０００５】
【特許文献１】特開２００４−３４４７９９号公報
【考案の概要】
【考案が解決しようとする課題】
【０００６】
しかしながら、前述のローラ用バケットは重ね合わせるほど多数のバケットを使用する熟練者用であることは明白である。本考案は、少量のもの、簡易なもの、小型のものを販売するＤＩＹショップやＤＩＹコーナで購入する商品を使用する熟練を有しない者でも、容易に作業ができ、失敗の少ない塗材用品とこの塗材用具を梱包した包装箱とを備えた塗材用具セットを得ることを目的とする。
【課題を解決するための手段】
【０００７】
請求項１に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【０００８】
請求項２に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、塗料を下の包装箱に通過させない曲折可能なシート材の周囲を曲折した前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【０００９】
請求項３に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【００１０】
請求項４に記載された考案に係る塗材用具セットは、糊、接着剤、ペンキから選ばれる塗料と、この塗料を被施工面に塗布するための施工具と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【００１１】
請求項５に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備え、
前記固定手段が、前記傾斜フラップ部を形成する１つのフラップの対向辺のフラップが側面部と１つのフラップの先端部の底部固定位置までを覆う長さを有し、互いのフラップ先端部同士の突き合わせ位置で固定するものであることを特徴とするものである。
【００１２】
請求項６に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記包装箱の開口部上辺から延設されたフラップの内、１つのフラップの先端部を前記包装箱の箱底部で固定して傾斜フラップ部を形成させる固定手段を備え、
前記前記塗料容器が、前記包装箱の傾斜フラップ部を覆い前記塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備え、
前記固定手段が、前記傾斜フラップ部を形成する１つのフラップの先端部から更に延長して設けられた１つ以上のツメ部と、前記底部の固定位置に穿設されたこのツメ部が挿入される挿入孔とを備えたことを特徴とするものである。
【考案の効果】
【００１３】
本考案は、少量のもの、簡易なもの、小型のものを販売するＤＩＹショップやＤＩＹコーナで購入する商品を使用する大多数の者のような熟練を有しない者でも、容易に作業ができ、失敗の少ない塗材用品とこれを梱包した包装箱とを備えた塗材用具セットを得ることができるという効果がある。
【図面の簡単な説明】
【００１４】
【図１】本考案の塗材用具セットの構成を示す説明図であり、ａ図は包装箱の外観図、ｂ図は開放した状態を示す説明図、ｃ図は内容物を取り出した状態を示す説明図である。
【図２】図１の塗材用具セットの構成を示す説明図であり、ｄ図は内容物を取り出した包装箱のフラップの組み立て途中を示す説明図、ｅ図はフラップの組み立てを終えた包装箱に塗料容器を装着する過程を示す説明図、ｆ図は内容物のローラで塗装する状態を示す説明図である。
【図３】本考案の別の塗材用具セットの内容物を取り出した状態を示す説明図である。
【図４】本考案の更に別の塗料用具セットの構成を説明する説明図である。
【考案を実施するための形態】
【００１５】
本考案においては、糊、接着剤、ペンキから選ばれる塗料と、施工の際に前記塗料を広げた状態で保持するための塗料容器と、これら塗料と塗料容器とを同梱する包装箱とを備えた塗材用具セットであって、前記包装箱は、上部に開口部を備え、平面形状が矩形状であり、前記塗料容器が、前記塗料の余分量を搾り動作が可能な傾斜面と、前記包装箱の箱底部を覆う底面と、前記傾斜フラップ部を除く３つの包装箱の側壁を覆う側面とを備え、前記包装箱の開口部から内部に装着可能な外形を備えるため、失敗の少ない塗材用品を梱包することができ、熟練を有しない者でも、容易に作業ができる。
【００１６】
即ち、本考案の塗材用具セットとしては、糊、接着剤、ペンキから選ばれる塗料と、施工の際に塗料を広げた状態で保持する塗料容器と、これらを同梱する包装箱とを備えたものであればよい。好ましくは、塗料及び塗装容器に加えて、塗料を被施工面に塗布するための施工具、例えば、塗装用のローラや刷毛等を同梱させてもよい。塗装用のローラとしては、一端に持ち手を有する支軸と、支軸に回転自在に設けられたローラ部本体とを備える。ローラ部本体は周面全体に装着された吸液性を備える。
【００１７】
本考案の塗料容器としては、塗料容器が、塗料の余分量を搾り動作が可能な傾斜面と、前記傾斜フラップ部を除く３つの包装箱の側壁を覆う側面と、これら傾斜面と３つの側面とで囲まれた前記包装箱の箱底部を覆う底面とを備え、前記包装箱の開口部から内部に装着可能な外形を備えるものであればよい。塗料を含ませたローラや刷毛を塗料容器の傾斜面に押し付けることにより、塗料の余分量を搾り動作を可能とする。この塗料容器は、例えば、他の塗料容器としては、塗料を下の包装箱に通過させない曲折可能なシート材の周囲を曲折して形成されたものが挙げられる。
【００１８】
また、真空成形等の成型で傾斜部と底部と傾斜部を除く３つの側面部とを覆うような容器を形成し、これを包装箱に梱包してもよい。更に、塗料を下の包装箱に通過させない袋状の可撓性の樹脂製容器でもよい。即ち、包装箱が平面形状が矩形状の箱形状であり、包装箱の上辺から延設されたフラップの内、１つのフラップの先端部が底部で固定されるため、可撓性の袋をこの包装箱を覆うように被せることにより、傾斜部と底部と傾斜部を除く３つの側面部とを覆うことができる。
【００１９】
これら塗料容器の塗料の余分量を搾り動作が可能な傾斜面としては、塗料容器が比較的硬い素材で形成されていれば裏面を支える支持部材は不要であるが、可撓性の塗料容器では、傾斜面の裏面を支持する支持部材を必要とする。例えば、包装箱の底部の一方の短辺の近傍に「７」の文字のような切れ込みを形成し、斜めの傾斜支持部が立ち上げるように曲折させるようにしてもよい。
【００２０】
他の好ましい支持部材としては、包装箱の開口部上辺から延設されたフラップの内、１つのフラップの先端部を前記包装箱の箱底部で固定して傾斜フラップ部を形成させる固定手段を備える。即ち、少なくとも固定手段で１つのフラップの先端部が底部で固定された状態の傾斜フラップ部を覆う傾斜面と、前記包装箱の箱底部を覆う底面と、前記傾斜フラップ部を除く３つの包装箱の側壁を覆う側面との一体構造を備えたものであればよい。
【００２１】
本考案の包装箱は、平面形状が矩形状であり、包装箱の開口部上辺から延設されたフラップの内、１つのフラップの先端部を前記包装箱の箱底部で固定して傾斜フラップ部を形成させる固定手段を備えるものであればよい。１つのフラップは先端部を底部で固定することにより、傾斜されて固定されるため、この傾斜フラップ部を塗料絞り部として利用することができる。
【００２２】
本考案の固定手段としては、包装箱の開口部上辺から延設されたフラップの内、１つのフラップの先端部を前記包装箱の箱底部で固定して傾斜フラップ部を形成させるものであればよい。具体的な固定手段としては、例えば、傾斜フラップ部を形成する１つのフラップの対向辺のフラップが側面部と１つのフラップの先端部の底部固定位置までを覆う長さを有し、互いのフラップ先端部同士の突き合わせ位置で固定するものや、傾斜フラップ部を形成する１つのフラップの先端部から更に延長して設けられた１つ以上のツメ部と、前記底部の固定位置に穿設されたこのツメ部が挿入される挿入孔とを備えるもの等が挙げられる。
【００２３】
本発明の塗料としては、糊、接着剤、ペンキから選ばれるものであればよく、ローラや刷毛等の施工具で被施工面に塗布されるものであればよい。また、塗布される際に、塗料容器内で広げた状態で保持された塗料を施工具で一旦含ませた状態で被施工面に塗布されるものであればよい。
【実施例】
【００２４】
図１は本考案の塗材用具セットの構成を示す説明図であり、ａ図は包装箱の外観図、ｂ図は開放した状態を示す説明図、ｃ図は内容物を取り出した状態を示す説明図である。図２は図１の塗材用具セットの構成を示す説明図であり、ｄ図は内容物を取り出した包装箱のフラップの組み立て途中を示す説明図、ｅ図はフラップの組み立てを終えた包装箱に塗料容器を装着する過程を示す説明図、ｆ図は内容物のローラで塗装する状態を示す説明図である。
【００２５】
図１のａ図に示す通り、本実施例の塗材用具セットの包装箱１０は、平面形状が矩形状であり、平面形状の縦横の長さに対して、高さは短辺の長さの半分以下の所謂「平たい」形状である。ｂ図に示す通り、包装箱１０の内部には、２つの糊液を封入した糊液容器１４と、施工具としての塗装ローラ１５と、塗料容器１６とが同梱されている。
【００２６】
糊液容器１４は内部に糊液を封止した筒状容器であり、使用に際しては、内部の糊液を塗料容器１６に投入し保持させる。塗装ローラ１５は、一端に持ち手２１を有する支軸２２と、支軸２２に回転自在に設けられたローラ部本体２３とを備える。塗料容器１６は、真空成形で傾斜面１６ａと底面１６ｂと傾斜面１６ａを除く３つの側面１６ｃとを覆う一体構造である。
【００２７】
ｂ図及びｃ図に示す通り、包装箱１０の上面部を覆う上蓋１１は外フラップとして開口部の長辺に延設されており、この上蓋１１の下には、内蓋としての内フラップ１２、１３が対向する開口部の短辺の各々に延設されている。
【００２８】
２つの内フラップ１２，１３については、一方の内フラップ１２が先端部が包装箱１０の底部で固定されて傾斜フラップ部として機能するものである。他方の内フラップ１３の開口部上辺から延設された長さは、包装箱１０の側壁部の内法高さと側壁部から前記傾斜フラップ部として包装箱１０の底部で固定された傾斜フラップ部先端部までの長さとの合計である。図２のｄ図に示す通り、他方の内フラップ１３には、包装箱１０の側壁部の内法高さ位置に折り線１７が形成され、上辺から内側に折込んだ際にこの折り線１７部分で折込み、その先端部は一方の内フラップ１２の先端部と包装箱１０の底部で突き合って先端部同士の押圧により固定される（図２のｅ図参照）。
【００２９】
包装箱１０の一方の内フラップ１２を傾斜フラップ部として固定された後に、ｅ図に示す通り、塗料容器１６を装着する。この際、内フラップ１２による傾斜フラップ部を覆うように塗料容器１６の傾斜面１６ａを合わせて装着する。ｆ図に示す通り、塗料容器１６の内部に糊液容器１４内部の糊液を投入し、塗装ローラ１５のローラ部本体２３に糊液を含ませ、余分な糊液を傾斜面１６ａに押圧することにより搾り出して適用量をローラ部本体２３で被施工面に塗布させる。このため、熟練を有しない者でも、容易に作業ができ、失敗の少ない塗材用品を梱包することができる。
【００３０】
図３は本考案の別の塗材用具セットの内容物を取り出した状態を示す説明図である。図３に示す通り、別の塗材用具セットの包装箱３０の内部には、２つの糊液を封入した糊液容器３４と、施工具としての塗装ローラ３５と、塗料容器３６とが同梱されている。
【００３１】
図１のものと同様に、糊液容器３４は内部に糊液を封止した筒状容器であり、使用に際しては、内部の糊液を塗料容器３６に投入し保持させる。塗装ローラ３５は、一端に持ち手２１を有する支軸２２と、支軸２２に回転自在に設けられたローラ部本体２３とを備える。塗料容器３６は、真空成形で傾斜面と底面と傾斜面を除く３つの側面とを覆うような一体構成である。
【００３２】
包装箱３０の上面部を覆う上蓋３１は外フラップとして平面形状の長辺に延設されており、この上蓋３１の下には、内蓋としての内フラップ３２が短辺の１つに延設されている。傾斜フラップ部を形成する内フラップ３２の先端部には、先端部から更に延長して設けられた２つ以上のツメ部３３が形成されている。また、包装箱３０の底部の内フラップ３２の先端部が係合する固定位置には、これらツメ部３３が挿入される挿入孔３７が穿設されている。
【００３３】
内フラップ３２の先端部が傾斜フラップ部として固定された後に、塗料容器３６を内フラップ３２による傾斜フラップ部を覆うように塗料容器３６の傾斜面を合わせて装着する。塗料容器３６の内部に糊液容器３４内部の糊液を投入し、塗装ローラ３５のローラ部本体に糊液を含ませ、余分な糊液を傾斜面に押圧することにより搾り出して適用量をローラ部本体で被施工面に塗布させる。このため、熟練を有しない者でも、容易に作業ができ、失敗の少ない塗材用品を梱包することができる。
【００３４】
図４は本考案の更に別の塗料用具セットの構成を説明する説明図である。図４では、図３と同様に、更に別の塗材用具セットの包装箱４０の内部には、２つの糊液を封入した糊液容器（図示せず）と、施工具としての塗装ローラ（図示せず）と、塗料容器４６とが同梱されている。
【００３５】
図に示す通り、塗料容器４６は、塗料を下の包装箱に通過させない曲折可能なシート材４８の周囲を破線は谷折り、実線は山折りとして曲折して形成する。得られた塗料容器４６は、塗料の余分量を搾り動作が可能な傾斜面と、傾斜フラップ部を除く３つの包装箱の側壁を覆う側面と、これら傾斜面と３つの側面とで囲まれた包装箱の箱底部を覆う底面とを備える。シート材４８を形成した塗料容器４６の外形は包装箱４０の内部に嵌り、容器状態を維持する。
【００３６】
包装箱４０の上面部を覆う上蓋３１は外フラップとして平面形状の長辺に延設されており、内蓋はない。塗料容器４６の傾斜面を裏面から支持する支持部材が形成される。詳しくは、包装箱４０の底部の一方の短辺の近傍に「７」及びこの「７」の鏡面文字のような２つの切れ込み４７を形成し、斜めの傾斜支持部が立ち上がるように曲折して支持部材として立ち上げる。
【符号の説明】
【００３７】
１０、３０、４０…包装箱、
１１、３１      …上蓋、
１２、３２      …内フラップ（傾斜フラップ部）、
１３            …内フラップ、
３３      …ツメ部、
１４、３４      …糊液容器、
１５、３５      …塗装ローラ、
１６、３６、４６…塗料容器、
１６ａ          …傾斜面、
１６ｂ          …底面、
１６ｃ          …側面、
１７            …折り線、
３７      …挿入孔、
４７…切れ込み（支持部材）、
４８…シート材、
２１        …持ち手、
２２        …支軸、
２３        …ローラ部本体、
【図１】
0003202398.tif 000003
【図２】
0003202398.tif 000004
【図３】
0003202398.tif 000005
【図４】
0003202398.tif 000006
【手続補正書】
【提出日】平成27年11月17日(2015.11.17)
【手続補正１】
【補正対象書類名】実用新案登録請求の範囲
【補正対象項目名】請求項１
【補正方法】変更
【補正の内容】
【請求項１】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、前記塗料の余分量を搾り動作が可能な傾斜面と、前記傾斜面を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【手続補正２】
【補正対象書類名】実用新案登録請求の範囲
【補正対象項目名】請求項２
【補正方法】変更
【補正の内容】
【請求項２】
糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、塗料を下の包装箱に通過させない曲折可能なシート材の周囲を曲折した前記塗料の余分量を搾り動作が可能な傾斜面と、前記傾斜面を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とする塗材用具セット。
【手続補正３】
【補正対象書類名】明細書
【補正対象項目名】０００７
【補正方法】変更
【補正の内容】
【０００７】
請求項１に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、前記塗料の余分量を搾り動作が可能な傾斜面と、前記傾斜面を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【手続補正４】
【補正対象書類名】明細書
【補正対象項目名】０００８
【補正方法】変更
【補正の内容】
【０００８】
請求項２に記載された考案に係る塗材用具セットは、糊、接着剤、ペンキから選ばれる塗料と、施工の際に前記塗料を広げた状態で保持するための塗料容器と、これら塗料と塗料容器とを同梱する包装箱とを備えた塗材用具セットであって、
前記包装箱は、上部に開口部を備え、平面形状が矩形状であり、
前記塗料容器が、塗料を下の包装箱に通過させない曲折可能なシート材の周囲を曲折した前記塗料の余分量を搾り動作が可能な傾斜面と、前記傾斜面を除く３つの包装箱の側壁を覆う側面と、これら傾斜面と３つの側面とで囲まれた前記包装箱の箱底部を覆う底面とを備え、前記包装箱の開口部から内部に装着可能な外形を備えたことを特徴とするものである。
【手続補正５】
【補正対象書類名】明細書
【補正対象項目名】００１５
【補正方法】変更
【補正の内容】
【００１５】
本考案においては、糊、接着剤、ペンキから選ばれる塗料と、施工の際に前記塗料を広げた状態で保持するための塗料容器と、これら塗料と塗料容器とを同梱する包装箱とを備えた塗材用具セットであって、前記包装箱は、上部に開口部を備え、平面形状が矩形状であり、前記塗料容器が、前記塗料の余分量を搾り動作が可能な傾斜面と、前記包装箱の箱底部を覆う底面と、前記傾斜面を除く３つの包装箱の側壁を覆う側面とを備え、前記包装箱の開口部から内部に装着可能な外形を備えるため、失敗の少ない塗材用品を梱包することができ、熟練を有しない者でも、容易に作業ができる。
【手続補正６】
【補正対象書類名】明細書
【補正対象項目名】００１７
【補正方法】変更
【補正の内容】
【００１７】
本考案の塗料容器としては、塗料容器が、塗料の余分量を搾り動作が可能な傾斜面と、前記傾斜面を除く３つの包装箱の側壁を覆う側面と、これら傾斜面と３つの側面とで囲まれた前記包装箱の箱底部を覆う底面とを備え、前記包装箱の開口部から内部に装着可能な外形を備えるものであればよい。塗料を含ませたローラや刷毛を塗料容器の傾斜面に押し付けることにより、塗料の余分量を搾り動作を可能とする。この塗料容器は、例えば、他の塗料容器としては、塗料を下の包装箱に通過させない曲折可能なシート材の周囲を曲折して形成されたものが挙げられる。